(57)【要約】【課題】タブ形式の画面において、目的とする機能を効率的に選択して実行させることができるようにする。【解決手段】表示制御装置において、制御部は、複数のタブ３１、３２，…のそれぞれに対応した複数のタブ画面５０，６０，…のうち選択状態にあるタブのタブ画面を表示させる。複数のタブ画面５０，６０，…のうち少なくとも第１タブ画面５０及び第２タブ画面６０は共通領域４１及び個別領域４２を有する。制御部は、共通領域４１又は個別領域４２へアイコンを登録する際、登録対象の領域に対して登録対象の機能のアイコンの登録が許可されている場合に登録する。また、制御部は、共通領域４１にアイコンを登録する場合は、複数のタブ画面それぞれの共通領域４１に対して同じアイコンを配置する。【選択図】図３
2019010791.tif 000002
【特許請求の範囲】
【請求項１】
表示部と、
入力部と、
制御部と、
を備えた表示制御装置であって、
前記制御部は、
前記表示部に、複数のタブ、及び前記複数のタブのそれぞれに対応した複数のタブ画面のうち選択状態にある１つの前記タブに対応したタブ画面、を表示させる表示処理、
を実行し、
前記複数のタブ画面はそれぞれ、アイコンが配置される２つの領域である共通領域及び個別領域を備え、
前記制御部は、さらに、
前記表示部に表示されている前記タブ画面の前記共通領域及び前記個別領域のうちいずれか一方を選択する領域選択操作を前記入力部を介して受け付ける領域選択処理と、
複数の規定機能のうち何れか１つを選択する機能選択操作を前記入力部を介して受け付ける機能選択処理と、
前記機能選択操作により選択された規定機能を選択機能として、前記選択機能を登録する登録処理と、
前記領域選択操作により選択された領域を選択領域として、前記登録処理により登録された前記選択機能を実行させるための機能実行用アイコンを前記選択領域に配置する処理であって、前記選択機能に対応した前記機能実行用アイコンを配置することが許可されている場合に、前記選択領域が前記個別領域である場合は現在表示されている前記タブ画面の前記個別領域のみに前記機能実行用アイコンを配置し、前記選択領域が前記共通領域である場合は前記複数のタブ画面のそれぞれの前記共通領域に対して同じ前記機能実行用アイコンを配置する、配置処理と、
を実行する表示制御装置。
【請求項２】
請求項１に記載の表示制御装置であって、
前記制御部は、さらに、
前記共通領域及び前記個別領域の少なくとも一方に対する、前記複数の規定機能のうちどの規定機能に対応した前記機能実行用アイコンの配置が許可されているかを示す許可情報を取得する許可情報取得処理、
を実行し、
前記配置処理は、前記許可情報取得処理により取得された前記許可情報に基づいて、前記機能実行用アイコンの配置が許可されているか否かを判断するように構成されている、
表示制御装置。
【請求項３】
請求項２に記載の表示制御装置であって、
情報処理装置とデータ通信可能に構成された通信部を備え、
前記許可情報取得処理は、前記許可情報を、前記情報処理装置から前記通信部を介して取得するように構成されている、
表示制御装置。
【請求項４】
請求項１〜請求項３のいずれか１項に記載の表示制御装置であって、
前記制御部は、さらに、
前記選択機能の登録を要求する登録要求操作を前記入力部を介して受け付ける登録要求処理、
を実行し、
前記領域選択処理は、前記登録要求処理により前記登録要求操作が受け付けられた場合に実行されるように構成されており、
前記登録処理は、前記登録要求処理により前記登録要求操作が受け付けられた場合であって、且つ、前記選択領域に対し、前記選択機能に対応した前記機能実行用アイコンを配置することが許可されている場合に実行されるように構成されており、
前記配置処理は、前記登録処理により前記選択機能が登録された場合に、その登録された選択機能が対応付けられた前記機能実行用アイコンを配置するように構成されている、
表示制御装置。
【請求項５】
請求項４に記載の表示制御装置であって、
前記制御部は、さらに、
前記登録要求処理により前記登録要求操作が受け付けられた場合に、各前記タブ画面のうち現在前記表示部に表示されている前記タブ画面を含む少なくとも１つの前記タブ画面において、前記共通領域及び前記個別領域のいずれに対しても前記選択機能に対応した前記機能実行用アイコンを配置することが許可されていない場合、前記表示部に特定のエラー情報を表示させるエラー処理、
を実行する、表示制御装置。
【請求項６】
請求項１〜３のいずれか１項に記載の表示制御装置であって、
前記制御部は、さらに、
前記領域選択操作により前記選択領域が選択された場合、前記選択領域への前記機能実行用アイコンの配置が許可されている前記規定機能を示す許可機能情報を前記表示部に表示させる許可表示処理、
を実行し、
前記機能選択処理は、前記選択領域への前記機能実行用アイコンの配置が許可されている前記規定機能に対する前記機能選択操作を受け付けるように構成されている、
表示制御装置。
【請求項７】
請求項６に記載の表示制御装置であって、
前記制御部は、さらに、
前記領域選択操作により前記選択領域が選択された場合に、前記選択領域に対して前記機能実行用アイコンの配置が許可されている前記規定機能がない場合、前記表示部に特定のエラー情報を表示させるエラー処理、
を実行する、表示制御装置。
【請求項８】
請求項１〜請求項７のいずれか１項に記載の表示制御装置であって、
前記制御部は、さらに、
前記個別領域に配置されている前記機能実行用アイコン毎に、その機能実行用アイコンに対応付けられた前記選択機能が実行された頻度を算出する頻度算出処理と、
前記頻度算出処理により算出された前記頻度が特定の閾値以上である前記機能実行用アイコンがある場合に、その機能実行用アイコンを前記共通領域に配置することが許可されている場合、その機能実行用アイコンを前記個別領域から削除し、前記複数のタブ画面のそれぞれの前記共通領域に配置する、配置変更処理と、
を実行する表示制御装置。
【請求項９】
表示部を備えた表示制御装置で用いられる表示制御方法であって、
前記表示部に、複数のタブ、及び前記複数のタブのそれぞれに対応した複数のタブ画面のうち選択状態にある１つの前記タブに対応したタブ画面、を表示させる表示ステップ、
を有し、
前記複数のタブ画面はそれぞれ、アイコンが配置される２つの領域である共通領域及び個別領域を備え、
さらに、
前記表示部に表示されている前記タブ画面の前記共通領域及び前記個別領域のうちいずれか一方を選択する領域選択操作を受け付ける領域選択ステップと、
複数の規定機能のうち何れか１つを選択する機能選択操作を受け付ける機能選択ステップと、
前記機能選択操作により選択された規定機能を選択機能として、前記選択機能を登録する登録ステップと、
前記領域選択操作により選択された領域を選択領域として、前記登録ステップにより登録された前記選択機能を実行させるための機能実行用アイコンを前記選択領域に配置する配置ステップであって、前記選択機能に対応した前記機能実行用アイコンを配置することが許可されている場合に、前記選択領域が前記個別領域である場合は現在表示されている前記タブ画面の前記個別領域のみに前記機能実行用アイコンを配置し、前記選択領域が前記共通領域である場合は前記複数のタブ画面のそれぞれの前記共通領域に対して同じ前記機能実行用アイコンを配置する、配置ステップと、
を有する、表示制御方法。
【請求項１０】
表示部と、
入力部と、
制御部と、
を備えた表示制御装置における前記制御部に実行させる表示制御プログラムであって、
前記制御部に、
前記表示部に、複数のタブ、及び前記複数のタブのそれぞれに対応した複数のタブ画面のうち選択状態にある１つの前記タブに対応したタブ画面、を表示させる表示処理、
を実行させ、
前記複数のタブ画面はそれぞれ、アイコンが配置される２つの領域である共通領域及び個別領域を備え、
さらに、前記制御部に、
前記表示部に表示されている前記タブ画面の前記共通領域及び前記個別領域のうちいずれか一方を選択する領域選択操作を前記入力部を介して受け付ける領域選択処理と、
複数の規定機能のうち何れか１つを選択する機能選択操作を前記入力部を介して受け付ける機能選択処理と、
前記機能選択操作により選択された規定機能を選択機能として、前記選択機能を登録する登録処理と、
前記領域選択操作により選択された領域を選択領域として、前記登録処理により登録された前記選択機能を実行させるための機能実行用アイコンを前記選択領域に配置する処理であって、前記選択機能に対応した前記機能実行用アイコンを配置することが許可されている場合に、前記選択領域が前記個別領域である場合は現在表示されている前記タブ画面の前記個別領域のみに前記機能実行用アイコンを配置し、前記選択領域が前記共通領域である場合は前記複数のタブ画面のそれぞれの前記共通領域に対して同じ前記機能実行用アイコンを配置する、配置処理と、
を実行させる表示制御プログラム。
【発明の詳細な説明】
【技術分野】
【０００１】
本発明は、表示部に表示される画面の内容を制御する技術に関する。
【背景技術】
【０００２】
特許文献１には、タッチパネルにタブ形式の待機画面を表示させ、タブを切り替えることによって処理実行用メニューの表示内容を切り替え可能な処理実行装置が記載されている。
【０００３】
特許文献１に記載の処理実行装置では、タブ毎に、特定の処理が登録されたボタンが複数配列される。ユーザは、ボタンに対する特定の処理の登録を任意に行うことができる。ユーザは、登録されているいずれかの処理を実行させたい場合、その処理のボタンが配列されているタブを選択してその処理のボタンを表示させ、そのボタンを操作することで、その処理を実行させることができる。
【先行技術文献】
【特許文献】
【０００４】
【特許文献１】特開２０１６−１５７２３２号公報
【発明の概要】
【発明が解決しようとする課題】
【０００５】
タブ形式の待機画面を備えた各種装置の使用形態としては、例えば、管理者が、各タブをそれぞれ個人もしくはグループに割り当て、タブ毎に適宜、特定の処理のボタンを配置させる、という使用形態が考えられる。
【０００６】
しかし、ボタンに登録可能な特定の処理として、特定の個人またはグループに限らず、複数の個人またはグループに共通して頻繁に使用される処理が存在することも考えられる。この場合、例えば、管理者がその処理を各タブに対して順次登録していけば、各タブのユーザがそれぞれその処理を実行できるようになるが、これを実現するためには管理者に多くの手間がかかる。
【０００７】
一方、特定のタブのボタンにのみ当該特定の処理を登録しておいて、ユーザはそのボタンを使用したい場合にはその都度その特定のタブに切り替える、という使用形態も考えられる。しかしそのような使用形態は、ユーザが当該ボタンを使用しようとする度にそのボタンが配置されているタブに切り替えなければならないため、ユーザにとって不便である。
【０００８】
本発明は上記課題に鑑みなされたものであり、タブ形式の画面において、目的とする機能を効率的に選択して実行させることができるようにすることを目的とする。
【課題を解決するための手段】
【０００９】
本発明の表示制御装置は、表示部と、入力部と、制御部とを備える。制御部は、表示処理を実行する。表示処理は、表示部に、複数のタブ、及びそれら複数のタブのそれぞれに対応した複数のタブ画面のうち選択状態にある１つのタブに対応したタブ画面、を表示させる処理である。前記複数のタブ画面はそれぞれ、アイコンが配置される２つの領域である共通領域及び個別領域を備える。
【００１０】
制御部は、さらに、領域選択処理と、機能選択処理と、登録処理と、配置処理とを実行する。領域選択処理は、表示部に表示されているタブ画面の共通領域及び個別領域のうちいずれか一方を選択する領域選択操作を入力部を介して受け付ける処理である。機能選択処理は、複数の規定機能のうち何れか１つを選択する機能選択操作を入力部を介して受け付ける処理である。登録処理は、機能選択操作により選択された規定機能を選択機能として、選択機能を登録する処理である。配置処理は、領域選択操作により選択された領域を選択領域として、登録処理により登録された選択機能を実行させるための機能実行用アイコンを選択領域に配置する処理であって、選択機能に対応した機能実行用アイコンを配置することが許可されている場合に、選択領域が個別領域である場合は現在表示されているタブ画面の個別領域のみに機能実行用アイコンを配置し、選択領域が共通領域である場合は複数のタブ画面のそれぞれの共通領域に対して同じ機能実行用アイコンを配置する処理である。
【００１１】
このような構成の表示制御装置では、ユーザは、複数のタブ画面それぞれの共通領域に対し、共通領域への配置が許可されている規定機能の機能実行用アイコンを、容易に配置させることができる。これにより、ユーザは、目的とする機能が対応付けられたアイコンを効率的に選択でき、その機能を効率的に実行させることができる。また、共通領域及び個別領域のいずれも、許可されていない規定機能の機能実行用アイコンは配置されない。そのため、規定機能に応じて機能実行用アイコンの配置の許可、不許可を適宜設定することで、意図しない配置状態になることを抑制することが可能となる。
【図面の簡単な説明】
【００１２】
【図１】実施形態の画像処理装置の構成を示すブロック図である。
【図２】実施形態の画像処理装置の操作パネルを示す説明図である。
【図３】実施形態の待機画面を示す説明図である。
【図４】実施形態の登録可否設定テーブルを示す説明図である。
【図５】実施形態の登録可否設定画面を示す説明図である。
【図６】実施形態のメイン制御処理の一部のフローチャートである。
【図７】実施形態のメイン制御処理の他の一部（図６の続き）のフローチャートである。
【図８】実施形態のメイン制御処理のさらに他の一部（図６の続き）のフローチャートである。
【図９】未登録アイコンタップ時に表示される画面例を示す説明図である。
【図１０】機能の実行条件選択画面からショートカットを登録する場合の画面例を示す説明図である。
【図１１】実施形態の領域入替処理のフローチャートである。
【図１２】実施形態の移動要否確認画面を示す説明図である。
【発明を実施するための形態】
【００１３】
以下、本発明の実施形態について、図面を参照しながら説明する。
［１．実施形態］
（１−１）画像処理装置の構成
図１に示す本実施形態の画像処理装置１０は、原稿の画像を読み取ってその読み取った画像の画像データを生成するスキャン機能、記録用紙への画像の印刷を行う印刷機能、スキャン機能により読み取った画像を印刷機能により記録用紙に印刷するコピー機能、ファクシミリデータの送受信を行うファクス機能など、複数の規定機能を備えている。
【００１４】
画像処理装置１０は、図１に示すように、制御部１１と、記憶部１２と、表示部１３と、入力部１４と、画像読取部１５と、印刷部１６と、メディアインタフェース部１７と、第１通信部１８と、第２通信部１９とを備え、これらがバス２０を介して相互に接続されている。なお、メディアインタフェース部のことを、以下「メディアＩ／Ｆ」と略称する。
【００１５】
制御部１１はＣＰＵを有する。記憶部１２は、例えばＲＯＭ、ＲＡＭ、ＮＶＲＡＭ、フラッシュメモリなどの半導体メモリを有する。即ち、画像処理装置１０は、ＣＰＵ及び半導体メモリを含むマイクロコンピュータを備えている。
【００１６】
制御部１１は、非遷移的実体的記録媒体に格納されたプログラムを実行することにより各種機能を実現する。本実施形態では、記憶部１２が、プログラムを格納した非遷移的実体的記録媒体に該当する。なお、制御部１１により実現される各種機能は、プログラムの実行によって実現することに限るものではなく、その一部又は全部について、一つあるいは複数のハードウェアを用いて実現してもよい。
【００１７】
記憶部１２には、後述する待機画面２５（図２参照）を含む、表示部１３に表示させる各種画面のデータが記憶されている。また、記憶部１２には、後述する図４の登録可否設定テーブルのデータ、図６〜図８のメイン制御処理のプログラム、及び図１１の領域入替処理のプログラムも記憶されている。上記各機能を実行するためのプログラムは、メイン制御処理のプログラムの一部として含まれていてもよいし、メイン制御処理のプログラムとは別のプログラムであってもよい。
【００１８】
表示部１３は、例えば液晶ディスプレイや有機ＥＬディスプレイなどの、画像を表示可能な表示デバイスを有する。
入力部１４は、各種入力操作を受け付けるための入力用デバイスを有する。入力部１４が有する入力用デバイスには、図２に示す電源ボタン５、テンキー６、戻りボタン７、ホームボタン８、停止ボタン９、及びタッチパネル１４ａが含まれる。タッチパネル１４ａは、表示部１３の表示デバイスにおける画像が表示される画像表示領域に配置される。
【００１９】
タッチパネル１４ａは、表示部１３の画像表示領域に対する、指示体による接触又は近接による指示操作を検出可能である。即ち、タッチパネル１４ａは、表示部１３の画像表示領域に対して指示体による指示操作が行われている場合に、その指示操作が行われている位置である指示位置を示す位置情報を出力可能に構成されている。本実施形態のタッチパネル１４ａは、指示体により指示操作が行われている間、位置情報を連続的又は周期的に出力するよう構成されている。
【００２０】
なお、タッチパネル１４ａは、指示操作として接触のみ検出可能な構成であってもよいし、近接のみ検出可能な構成であってもよいし、接触及び近接の両方を検出可能な構成であってもよい。
【００２１】
制御部１１は、タッチパネル１４ａから出力される位置情報を取得し、その取得した位置情報に基づいて、指示体の指示操作の有無、指示操作が行われている場合における指示位置、指示操作が行われている場合における指示体による少なくとも一種類の特定の操作を検出することができる。
【００２２】
制御部１１が検出可能な特定の操作としては、少なくとも、タップ操作がある。タップ操作は、指示体により指示操作が行われた後、同じ位置で指示体が離れる操作である。指示操作を行うことが可能な指示体の具体的態様は種々考えられ、例えば指先であってもよいし、スタイラスペンなどの特定の指示用デバイスであってもよい。
【００２３】
画像読取部１５は、イメージセンサを備え、原稿の画像を読み取り、読み取った画像の画像データを生成する。画像読取部１５は、ＡＤＦを備えていてもよい。なお、ＡＤＦとは、自動原稿送り装置を意味する、Ａｕｔｏｍａｔｉｃ  Ｄｏｃｕｍｅｎｔ  Ｆｅｅｄｅｒの略称である。また、画像読取部１５は、原稿台或いはＡＤＦにセットされた原稿に対し、その両面の画像を読み取るいわゆる両面スキャンを実行可能に構成されていてもよい。
【００２４】
印刷部１６は、インクジェット技術や電子写真技術の印刷機構を有し、シート状の記録用紙に画像を印刷することが可能である。なお、印刷部１６は、記録用紙の両面に画像を印刷するいわゆる両面印刷を実行可能に構成されていてもよい。
【００２５】
メディアＩ／Ｆ１７は、例えばＵＳＢフラッシュメモリなどの、各種の記憶メディアが装着されるインタフェース部であり、装着された記憶メディアに対するデータの書き込み及び読み出しを制御する。
【００２６】
第１通信部１８は、画像処理装置１０をデータ通信用のネットワークに接続するための通信インタフェースである。第１通信部１８は、例えば、有線ＬＡＮ、無線ＬＡＮ、インターネットなどの各種ネットワークの少なくとも１つに接続可能であってもよい。画像処理装置１０は、第１通信部１８を介して、パソコンやスマートフォン、タブレット端末などの各種情報処理装置と有線又は無線にてデータ通信可能であってもよい。また、画像処理装置１０は、第１通信部１８を介してインターネットに接続し、インターネットを介して他の各種サーバや各種情報処理装置などとデータ通信可能であってもよい。
【００２７】
なお、図１では、第１通信部１８と外部の情報処理装置との接続例として、第１通信部１８がパソコン１５０と無線ＬＡＮによって無線通信可能な状態にされていることを図示している。パソコン１５０には、画像処理装置１０を制御するためのデバイスドライバがインストールされており、パソコン１５０から画像処理装置１０を制御できるようになっている。
【００２８】
第２通信部１９は、通信回線１６０を通じて外部機器と通信を行うためのインタフェース部である。第２通信部１９に接続される通信回線１６０は、本実施形態では例えば公衆電話網である。ファクス機能におけるファクシミリデータの送受信は、基本的には、第２通信部１９を介して行われる。
【００２９】
（１−２）操作パネルの構成
画像処理装置１０における、不図示の筐体の一側面には、図２に示す操作パネル３が設けられている。操作パネル３には、図２に示すように、電源ボタン５と、テンキー６と、戻りボタン７と、ホームボタン８と、停止ボタン９と、表示部１３と、タッチパネル１４ａとが設けられている。なお、図２に示されている表示部１３は、詳しくは、表示部１３が有する表示デバイスにおける画像表示領域を示している。この画像表示領域のほぼ全範囲にタッチパネル１４ａが重畳配置されている。
【００３０】
電源ボタン５は、画像処理装置１０の電源をオン、オフさせるためにユーザにより操作されるハードキーである。電源ボタン５の押下により画像処理装置１０に電源が投入されて画像処理装置１０の動作が開始されると、制御部１１は、特定の初期化処理を行った後、表示部１３に待機画面２５を表示させる。ユーザは、その待機画面２５を起点として各種入力操作を行うことで、表示部１３に表示させる画面を切り替えたり、各種設定を行ったり、各種機能を実行させたりすることができる。
【００３１】
テンキー６は、例えばファクシミリデータの送信先番号を入力するときやコピー機能におけるコピー部数を入力するときなど、主に数字を入力する際にユーザにより操作される、０〜９までの各数字のハードキーを含む複数のハードキーの総称である。
【００３２】
戻りボタン７は、表示部１３の画面を現在表示されている画面の直前に表示されていた画面に戻すためにユーザに操作されるハードキーである。ホームボタン８は、表示部１３に待機画面２５を表示させるためにユーザに操作されるハードキーである。停止ボタン９は、処理中の動作を停止させるためにユーザにより操作されるハードキーである。
【００３３】
（１−３）待機画面の説明
待機画面２５は、複数のタブを有するタブ形式の画面である。複数のタブにはそれぞれ個別にタブ画面が対応付けられている。待機画面２５には、複数のタブのうち選択状態にされている１つのタブに対応したタブ画面が表示される。待機画面２５を表示させるために必要な各種情報や、待機画面２５に対して入力部１４を介して各種入力操作が行われた場合に実行すべき処理の内容に関する情報などは、記憶部１２に記憶されている。
【００３４】
図２に示すように、待機画面２５には、最大４つのタブが表示される。なお、本実施形態では、タブの総数Ｎｔは、待機画面２５に同時に表示可能なタブの最大数である４よりも多い。図２は、待機画面２５に、第１タブ〜第ＮｔタブのＮｔ個のタブのうち、第１タブ３１、第２タブ３２、第３タブ３３及び第４タブ３４が表示されている例を示している。
【００３５】
各タブには、それぞれ、当該タブの名称が表示される。選択状態にされているタブは、他のタブとは異なる態様で表示される。他のタブとは異なる態様として、例えば、他のタブと異なる色にする、タブの大きさを他のタブよりも大きくする、タブに特定の装飾を加える、などが考えられる。図２は、タブ名が「基本機能１」の第１タブ３１が選択状態にされていて、第１タブ３１が他のタブとは異なる色で表示されている例を示している。
【００３６】
待機画面２５には、第１タブ〜第Ｎｔタブの全Ｎｔ個のタブそれぞれに対応した各タブ画面（第１タブ画面〜第Ｎｔタブ画面）のうち、選択状態にされている１つのタブに対応したタブ画面が表示される。図２は、選択状態にされている第１タブ３１に対応付けられている第１タブ画面５０が表示されている例を示している。
【００３７】
各タブに対応付けられている各タブ画面は、複数のアイコンが配置された画面である。本実施形態では、１つのタブ画面に８個のアイコンが配置される。即ち、図２に示すように、第１タブ画面５０には、第１アイコン５１〜第８アイコン５８が配置される。各アイコンの具体的種類は、後述するように変更することができる。
【００３８】
図２に例示する第１タブ画面５０においては、第１アイコン５１はファクスアイコンであり、第２アイコン５２はコピーアイコンであり、第５アイコン５５は設定メニューアイコンである。第３アイコン５３、第４アイコン５４、第６アイコン５６〜第８アイコン５８は未登録アイコンである。
【００３９】
待機画面２５における、タブが表示される領域の両端近傍には、左ボタン２６及び右ボタン２７が表示される。Ｎｔ個のタブの左右方向の配列順は予め決められている。現在表示されている４つのタブよりも左側に他のタブが配列されている場合は、左ボタン２６をタップすることによって、表示対象のタブを右側にスクロールさせることで、現在表示されている４つのタブよりも左側に配列されているタブを表示させることができる。逆に、現在表示されている４つのタブよりも右側に他のタブが配列されている場合は、右ボタン２７をタップすることによって、表示対象のタブを左側にスクロールさせることで、現在表示されている４つのタブよりも右側に配列されているタブを表示させることができる。
【００４０】
現在選択状態にされているタブのタブ画面から、他のタブのタブ画面に切り替えたい場合は、切り替え先のタブをタップすればよい。現在選択状態のタブ以外のタブをタップすると、そのタップしたタブが選択状態にされて、待機画面２５には、その新たに選択状態にされたタブに対応したタブ画面が表示される。
【００４１】
例えば、図３（ａ）の左側に示されているように、待機画面２５に、第１タブ３１に対応した第１タブ画面５０が表示されているとする。この状態から、例えば、タブ名が「基本機能２」の第２タブ３２をタップすると、図３（ａ）の右側に示すように、選択状態のタブが第１タブ３１から第２タブ３２に切り替わり、その切り替わり後の第２タブ３２に対応した第２タブ画面６０が表示される。
【００４２】
第２タブ画面６０にも、第１アイコン６１〜第８アイコン６８の８個のアイコンが表示される。第２タブ画面６０において、第１アイコン６１は第１タブ画面５０の第１アイコン５１と同じファクスアイコンであり、第２アイコン６２は第１タブ画面５０の第２アイコン５２と同じコピーアイコンである。第３アイコン６３〜第８アイコン６８は未登録アイコンである。
【００４３】
各タブ画面に配置される各アイコンには、それぞれ、特定の処理が対応付けられている。ユーザによりいずれかのアイコンがタップされると、そのアイコンに対応付けられている特定の処理が実行される。
【００４４】
待機画面２５のタブ画面に配置可能なアイコンには、大きく分類すると、三種類のアイコンがある。具体的に、機能実行用アイコンと、設定用アイコンと、未登録アイコンがある。機能実行用アイコンは、当該画像処理装置１０が有する上記各規定機能のうち何れかの機能を実行させるための、その実行対象の機能が登録されたアイコンである。つまり、機能実行用アイコンには、登録されている機能を実現させるための特定の処理が対応付けられている。そして、機能実行用アイコンがタップされると、対応付けられている特定の処理が実行されることによって、登録されている機能が実現される。
【００４５】
設定用アイコンは、各種設定項目を設定するための、その設定対象の特定の項目あるいは複数の項目のリスト等が登録されたアイコンである。つまり、設定用アイコンには、各種設定項目を設定させるための特定の処理が対応付けられている。そして、設定用アイコンがタップされると、対応付けられている特定の処理が実行されることによって、各種設定項目の設定が実現される。
【００４６】
未登録アイコンは、機能及び設定項目等が何ら登録されていないアイコンであり、ユーザによって任意の機能或いは設定項目を新規に登録することが可能なアイコンである。つまり、未登録アイコンには、任意の機能の機能実行用アイコン或いは任意の設定項目の設定用アイコンを新規に登録させるための、ユーザの入力操作を伴う特定の処理が対応付けられている。そして、未登録アイコンがタップされると、当該未登録アイコンに対応付けられている特定の処理が実行されることによって、機能実行用アイコン或いは設定用アイコンとしての新規登録が実現される。
【００４７】
機能実行用アイコンは、さらに、規定機能アイコンと、ショートカットアイコンとの二種類に分類される。規定機能アイコンは、当該画像処理装置１０が有するスキャン機能、印刷機能、コピー機能、ファクス機能、ウェブサービス機能、便利ツール機能などの複数の規定機能のうち何れかを実行させるための、その実行対象の規定機能が登録されたアイコンである。規定機能アイコンに登録されている各種設定値は、予め決められたデフォルト値である。ただし、そのデフォルト値は、規定機能アイコンをタップして対応機能を実行させる際にユーザが確認、変更することができる。
【００４８】
ショートカットアイコンには、ショートカット機能が登録される。ショートカット機能は、上記複数の規定機能のうちいずれかを、ユーザが予め設定した特定の実行条件で実行させるように構成された機能である。
【００４９】
規定機能アイコン及び設定用アイコンの少なくとも一方は、画像処理装置１０の出荷時において、少なくとも１つのタブ画面において少なくとも１つ、予め配置されていてもよい。
【００５０】
ショートカットアイコンは、基本的には、当該画像処理装置１０の出荷時から予め配置されているアイコンではなく、未登録アイコンに対してユーザが任意に登録操作を行うことによって、その未登録アイコンに代わって配置されるアイコンである。ただし、ショートカットアイコンも、画像処理装置１０の出荷時において、少なくとも１つのタブ画面において少なくとも１つ、予め配置されていてもよい。
【００５１】
規定機能アイコンが、各設定値の初期値が予め決められているのに対し、ショートカットアイコンについては、ユーザ自ら、実行対象の機能、及びその機能をどのような実行条件で実行させるか、などについて任意に設定、登録することができる。なお、実行条件とは、例えば、機能が実行される際に用いられる各種設定項目の設定値である。例えばファクス機能においては、原稿サイズ、ファクス番号、ファクス画質などが実行条件の一例である。
【００５２】
未登録アイコンに対しては、任意の規定機能のショートカット機能を登録してショートカットアイコンとして登録できるほか、任意の規定機能を登録することにより規定機能アイコンとして登録したり、任意の設定項目を登録することにより設定用アイコンとして登録したりすることもできる。
【００５３】
規定機能アイコン又はショートカットアイコンとして登録可能な規定機能は、例えば、ファクス機能、コピー機能、スキャン機能、ウェブサービス機能、便利ツール機能などである。なお、スキャン機能は、さらに、読み取った画像データの処理方法が異なる複数の機能に細分化されている。本実施形態では、スキャン機能の具体的種類として、スキャンｔｏファイル、スキャンｔｏＯＣＲ、スキャンｔｏイメージ、スキャンｔｏＵＳＢ、スキャンｔｏＥメール、スキャンｔｏＥメールサーバ、スキャンｔｏネットワーク、スキャンｔｏＦＴＰ／ＳＦＴＰ、などがある。
【００５４】
図３（ａ）に示す、第１タブ画面５０及び第２タブ画面６０において、第１アイコン５１、６１として配置されているファクスアイコンは、ファクス機能を実行させるための規定機能アイコンである。これら２つのファクスアイコンは全く同じであり、同じ特定の処理が対応付けられている。また、第１タブ画面５０及び第２タブ画面６０において、第２アイコン５２、６２として配置されているコピーアイコンは、コピー機能を実行させるための規定機能アイコンである。これら２つのコピーアイコンは全く同じであり、同じ特定の処理が対応付けられている。また、第１タブ画面５０において第５アイコン５５として配置されている設定メニューアイコンは、少なくとも一種類の設定項目の設定値を設定するための設定用アイコンである。
【００５５】
また、図３（ｂ）に示す第１タブ画面５０及び第２タブ画面６０において、第４アイコン５４、６４として配置されている各スキャンアイコンは、スキャン機能を実行させるための規定機能アイコンである。これら２つのスキャンアイコンは全く同じであり、同じ特定の処理が対応付けられている。
【００５６】
また、図３（ｂ）の左側に示す第１タブ画面５０において、第８アイコン５８として配置されているアイコンは、スキャンｔｏファイルのショートカット機能が登録されたショートカットアイコンである。
【００５７】
図３（ａ）、（ｂ）において、第１アイコン５１，６１としてのファクスアイコン及び第２アイコン５２，６２としてのコピーアイコンは、画像処理装置１０の出荷時にデフォルトで予め登録、配置されている。一方、図３（ｂ）における、第４アイコン５４、６４としてのスキャンアイコン及び第８アイコン５８としてのショートカットアイコンは、出荷時には図３（ａ）に示すように未登録アイコンであったものの、その後ユーザによって新規登録されたアイコンである。
【００５８】
なお、出荷時においてどの領域にどの規定機能の機能実行用アイコンがデフォルトで配置されているかについては、適宜決めてよい。
（１−４）タブ画面内に設定されている領域の説明
図２及び図３に示すように、各タブ画面には、共通領域４１及び個別領域４２が設定されている。そして、８つのアイコンのうち第１アイコン〜第４アイコンの４つのアイコンは共通領域４１内に配置され、第５アイコン〜第８アイコンの４つのアイコンは個別領域４２内に配置されている。
【００５９】
共通領域４１に配置される４つのアイコンは、各タブ画面全て同じである。つまり、タブを切り替えていずれのタブ画面を表示させても、共通領域４１に配置されるアイコンは全く同じである。
【００６０】
本実施形態では、いずれかのタブ画面が表示されている状態で、そのタブ画面内の共通領域４１において機能実行用アイコン又は設定用アイコンを新規登録すると、そのアイコンは、現在表示されているタブ画面に配置されるのに加えて、他の各タブ画面の共通領域４１における同じ位置に対してもそれぞれ配置される。
【００６１】
また、いずれかのタブ画面が表示されている状態で、そのタブ画面内の共通領域４１に配置されているいずれかのアイコンを削除すると、そのアイコンが現在表示されているタブ画面から削除されるのに加えて、他の各タブ画面の共通領域４１における同じ位置に配置されている同じ各アイコンもそれぞれ削除される。
【００６２】
また、いずれかのタブ画面が表示されている状態で、そのタブ画面内の共通領域４１に配置されているいずれかのアイコンに対する編集操作を行うと、そのアイコンに対する登録内容が編集操作に応じて変更されるのに加えて、他の各タブ画面の共通領域４１における同じ位置に配置されている同じ各アイコンに対する登録内容も全く同じように変更される。
【００６３】
つまり、タブ画面中の共通領域４１内のアイコンに対する登録、編集、移動、削除等の各操作内容は、現在表示されているタブ画面だけでなく他の全てのタブ画面における同じ位置のアイコンに対しても同様に反映される。その結果、各タブ画面における、共通領域４１内に配列されているアイコンは、全て同じ内容となる。
【００６４】
例えば、図３（ａ）の左側に示す待機画面２５が表示された状態、即ち第１タブ画面５０が表示されている状態で、共通領域４１内の未登録アイコンである第４アイコン５４を、スキャン機能が登録された規定機能アイコンにしたとする。この場合、図３（ｂ）に示すように、現在表示されている第１タブ画面５０内の第４アイコン５４が規定機能アイコンとなるのに加え、第２タブ画面６０を含む他の各タブ画面における共通領域４１内の同じ位置のアイコンも、同じ処理が対応付けられた規定機能アイコンとなる。
【００６５】
一方、いずれかのタブ画面が表示されている状態で、そのタブ画面内の個別領域４２においてアイコンの登録、削除、編集等の各操作を行った場合は、その操作内容は、現在表示されているタブ画面内の対象アイコンに対してのみ反映され、他のタブ画面には反映されない。
【００６６】
例えば、図３（ａ）の左側に示す待機画面２５が表示された状態、即ち第１タブ画面５０が表示されている状態で、個別領域４２内の未登録アイコンである第８アイコン５８に対してスキャンｔｏファイルのショートカットアイコンを新規登録したとする。この場合、図３（ｂ）に示すように、現在表示されている第１タブ画面５０内の第８アイコン５８はショートカットアイコンとして登録されるが、第２タブ画面６０を含む他の各タブ画面における個別領域４２内の同じ位置のアイコンにはその登録内容は反映されない。
【００６７】
（１−５）管理機能の説明
図２及び図３に示すように、待機画面２５には、管理者ボタン２８が表示される。管理者ボタン２８をタップすると、管理者認証用の認証画面が表示される。その認証画面に対し、パスワード入力などの認証用の所定の入力操作を行うと、認証処理が行われる。
【００６８】
認証処理は、特定の認証条件が成立したか否かを判断する処理である。認証条件の１つには、入力されたパスワードが予め登録されている正規のパスワードと一致すること、が含まれる。認証処理の結果、認証条件が成立した場合は、動作モードが管理者モードとなる。
【００６９】
本実施形態では、管理モードにおいては、共通領域４１及び個別領域４２のいずれに対しても、各規定機能の機能実行用アイコンを新規登録することができる。また、管理モードにおいては、共通領域４１及び個別領域４２のいずれに対しても、登録されているアイコンの編集、即ち登録内容の変更や、登録されているアイコンの削除、登録されている任意の２つのアイコンの配置位置入れ替え、登録されている任意のアイコンの配置位置移動、などを行うことができる。なお、アイコンの「削除」とは、当該アイコンに対する登録状態を解除して未登録アイコンにすることを意味する。
【００７０】
一方、動作モードが管理者モードではない一般モードである場合は、共通領域４１及び個別領域４２のそれぞれ、許可されている規定機能のみ、機能実行用アイコンの登録が可能である。一般モード時に各領域４１，４２それぞれにおいてどの規定機能が機能実行用アイコンとして登録可能であるかについては、図４に示す登録可否設定テーブルにおいて設定されている。
【００７１】
図４の登録可否設定テーブルは、記憶部１２に記憶されている。図４には、登録可否設定テーブルの一例が示されている。一般モード時における機能実行用アイコンの新規登録は、登録可否設定テーブルの設定内容に応じて制限される。即ち、登録が可能に設定されている規定機能についてはその機能実行用アイコンを新規登録可能であるが、登録が不可に設定されている規定機能についてはその機能実行用アイコンを新規登録できない。
【００７２】
登録可否設定テーブルが図４に例示するように設定されている場合、例えばコピー機能については、一般モードであっても各領域４１，４２のいずれにも機能実行用アイコンを新規登録可能である。一方、例えばファクス機能については、一般モード時においては、個別領域４２への機能実行用アイコンの新規登録は可能であるものの、共通領域４１への新規登録はできない。また、図４の例では、スキャン機能における細分化された複数の規定機能のうち、例えばスキャンｔｏファイルやスキャンｔｏイメージなどは、一般モードであっても各領域４１，４２のいずれにも機能実行用アイコンを新規登録可能であるが、例えばスキャンｔｏＥメールサーバやスキャンｔｏネットワークなどは、一般モード時においては、個別領域４２への機能実行用アイコンの新規登録は可能であるものの、共通領域４１への新規登録はできない。
【００７３】
なお、一般モードにおいて、登録済みの機能実行用アイコン或いは設定用アイコンを対象とした、編集、削除、入れ替え、移動などの各種処理が可能か否かについては、領域毎に適宜決めてよい。
【００７４】
登録可否設定テーブルの内容は、ユーザにより任意に変更可能である。本実施形態では、管理者モードにおいて登録可否設定テーブルの内容を変更できるように構成されている。登録可否設定テーブルの内容は、画像処理装置１０本体において変更可能であってもよいし、画像処理装置１０の外部から変更可能であってもよい。本実施形態では、画像処理装置１０に接続されているパソコン１５０から、画像処理装置１０内の登録可否設定テーブルの内容を変更可能に構成されている。
【００７５】
パソコン１５０には、登録可否設定テーブルを設定するためのソフトウェア（以下、「設定ソフト」と称する）が、画像処理装置１０のデバイスドライバの一部として、又はそのデバイスドライバとは別に、インストールされている。ユーザは、その設定ソフトを用いて、画像処理装置１０内の登録可否設定テーブルの内容を変更することができる。
【００７６】
具体的に、パソコン１５０において設定ソフトが起動され、特定の認証処理によって認証条件が成立すると、パソコン１５０には、図５に示す登録可否設定画面８０が表示される。なお、認証処理の具体的内容は適宜決めてよく、例えば、画像処理装置１０における前述の認証処理に準じた内容であってもよい。
【００７７】
ユーザは、登録可否設定画面８０において、各規定機能それぞれについて個別に、共通領域及び個別領域毎に、機能実行用アイコンの新規登録を可能とするかそれとも不可とするかを設定することができる。設定ソフトは、例えばＯＫボタン８１が押下されることによって登録可否設定画面８０の設定内容が確定されると、その設定内容を示す設定情報を画像処理装置１０へ送信する。画像処理装置１０の制御部１１は、パソコン１５０から設定情報を受信すると、その受信した設定情報に基づいて、記憶部１２に記憶されている登録可否設定テーブルを更新する。
【００７８】
（１−６）メイン制御処理の説明
次に、前述の各種機能を実現するために制御部１１が実行するメイン制御処理について、図６〜図８を用いて説明する。制御部１１は、電源ボタン５の押下により電源が投入されて起動すると、図６〜図８のメイン制御処理を実行する。
【００７９】
制御部１１は、図６〜図８のメイン制御処理を開始すると、Ｓ１１０（図６参照）で、表示部１３に待機画面２５を表示させる。なお、タブ画面の初期値、即ち、起動後最初に待機画面２５に表示させるタブ画面、機能実行終了後に表示される待機画面２５中のタブ画面、ホームボタン８の押下時に表示される待機画面２５中のタブ画面は、適宜決めてよく、本実施形態では例えば第１タブ画面５０である。
【００８０】
Ｓ１２０では、待機画面２５に表示されている複数のタブのいずれかがタップされたか否か判断する。何れかのタブがタップされた場合は、Ｓ１３０で、タブ切替処理を実行する。具体的に、タップされたタブを選択状態にして、そのタブに対応付けられたタブ画面を表示させる。Ｓ１３０でタブ画面を切り替えた後は、Ｓ１１０に戻る。
【００８１】
Ｓ１２０で、いずれのタブもタップされていない場合は、Ｓ１４０に進む。Ｓ１４０では、登録済みのアイコン、即ち未登録アイコン以外のアイコンがタップされたか否か判断する。Ｓ１４０で、登録済みのアイコンがタップされた場合は、Ｓ１５０に進む。Ｓ１５０では、タップされたアイコンが規定機能アイコンであるか否か判断する。タップされたアイコンが規定機能アイコンではない場合は、Ｓ１６０に進む。
【００８２】
Ｓ１６０では、タップされたアイコンに対応付けられている特定の処理を実行する。これにより、当該アイコンに登録されている機能或いは各種設定が実現される。
Ｓ１７０では、使用頻度を更新する。ここでいう使用頻度とは、各タブ画面に配置されている各アイコン毎の、そのアイコンがタップされて対応する処理がＳ１６０又はＳ３３０（図８参照）で実行された頻度を示す情報である。タップされたアイコンが例えば機能実行用アイコンである場合、当該機能実行用アイコンの使用頻度は、その機能実行用アイコンに対応付けられた規定機能が実行された頻度を示す情報である。使用頻度の具体的内容は適宜決めてよい。本実施形態では、例えば、アイコンがタップされる度にそのタップされた日時を示す情報を記憶し、アイコンがタップされる度に、一定時間前から現在までの間に当該アイコンがタップされた回数を使用頻度として更新する。Ｓ１７０で使用頻度を更新した後は、Ｓ１１０に戻る。
【００８３】
なお、使用頻度の算出対象のアイコンの種類は適宜決めて良い。例えば、未登録アイコン以外の全てのアイコンを対象として使用頻度を算出するようにしてもよいし、機能実行用アイコンを対象として使用頻度を算出するようにしてもよい。
【００８４】
Ｓ１４０で、登録済みのアイコンがタップされていない場合は、Ｓ１８０に進む。Ｓ１８０では、未登録アイコンがタップされたか否か判断する。未登録アイコンがタップされていない場合は、Ｓ１１０に戻る。なお、待機画面２５におけるタブ及びアイコン以外の操作対象（例えば管理者ボタン２８、左ボタン２６など）が操作された場合の処理については図６〜図８では省略している。
【００８５】
Ｓ１８０で、未登録アイコンがタップされた場合は、Ｓ１９０（図７参照）へ進む。なお、共通領域４１及び個別領域４２のうち、タップされた未登録アイコンが配置されている領域を、以下、選択領域と称することがある。
【００８６】
Ｓ１９０では、登録可否設定テーブルに基づき、選択領域に対し、機能実行用アイコンの新規登録が許可されている規定機能があるか否か判断する。選択領域に対して機能実行用アイコンの新規登録が許可されている規定機能が１つもない場合、即ち登録可否設定テーブルにおいて選択領域に対して全ての規定機能が「不可」に設定されている場合は、Ｓ２００に進む。
【００８７】
Ｓ２００では、エラー処理を行う。具体的に、エラー情報を表示部１３に表示させる。エラー情報は、選択領域に対して機能実行用アイコンの新規登録が許可されている規定機能がないことを示す情報である。Ｓ２００でエラー処理を実行した後は、Ｓ１１０に戻る。
【００８８】
Ｓ１９０で、選択領域に対して機能実行用アイコンの新規登録が許可されている規定機能がある場合は、Ｓ２１０に進む。Ｓ２１０では、選択領域が共通領域４１又は個別領域４２のどちらであるか判断する。選択領域が共通領域４１である場合はＳ２２０に進む。
【００８９】
Ｓ２２０では、記憶部１２から登録可否設定テーブルを読み込み、その登録可否設定テーブルに基づき、共通領域４１に対して機能実行用アイコンの新規登録が許可されている規定機能を判断する。そして、許可されている規定機能の一覧がリストアップされた機能選択画面を表示部１３に表示させる。
【００９０】
図９に、機能選択画面の一例を示す。図９に示すように、例えば共通領域４１内の未登録アイコン５４がタップされた場合は、Ｓ２２０の処理では、図９の右上に示す機能選択画面９０が表示される。本実施形態の機能選択画面９０は、許可されているか否かにかかわらず全ての規定機能のボタンが一覧表示され、そのうち許可されていない規定機能のボタンはグレーアウト表示される。そのため、ユーザは、機能選択画面９０を見ることで、機能実行用アイコンとして登録が許可されている規定機能がどれであるかを容易に認識できる。Ｓ２２０で機能選択画面を表示させた後は、Ｓ２４０に進む。
【００９１】
Ｓ２１０で、選択領域が個別領域４２である場合は、Ｓ２３０に進む。Ｓ２３０では、記憶部１２から登録可否設定テーブルを読み込み、その登録可否設定テーブルに基づき、個別領域４２に対して機能実行用アイコンの新規登録が許可されている規定機能を判断する。そして、許可されている規定機能の一覧がリストアップされた機能選択画面を表示部１３に表示させる。
【００９２】
図９に例示するように、例えば個別領域４２内の未登録アイコン５８がタップされた場合は、Ｓ２３０の処理では、図９の右下に示す機能選択画面９６が表示される。この機能選択画面９６は、一例として、全ての規定機能の新規登録が許可されている場合の機能選択画面を示している。Ｓ２３０で機能選択画面を表示させた後は、Ｓ２４０に進む。
【００９３】
Ｓ２４０では、機能選択画面に対するユーザの機能選択操作を受け付ける。具体的に、機能選択画面に表示されている、選択可能な規定機能のボタンの何れかに対する、ユーザのタップ操作を受け付ける。許可されていない規定機能のボタン、即ちグレーアウトされているボタンがタップされた場合は、例えば特定のエラー情報をポップアップ表示させたりビープ音を発生させたりすることによって、ユーザに対し、当該ボタンが選択できないことを認識させる。
【００９４】
許可されている規定機能のボタンがタップされた場合は、Ｓ２５０に進む。許可されている規定機能のボタンがタップされたということは、当該ボタンに対応した規定機能が機能実行用アイコンとしての新規登録の対象として選択されたことを意味する。以下、この選択された規定機能のことを選択機能と称することがある。
【００９５】
Ｓ２５０では、選択機能の機能実行用アイコンを新規登録するための登録情報を取得し、その登録情報に基づく選択機能を、機能実行用アイコンに対応付ける機能として登録する。
【００９６】
具体的に、選択機能について、規定機能アイコンとして登録するか、それともショートカットアイコンとして登録するかをユーザに選択させるための選択画面を表示させる。規定機能アイコンとしての登録が選択された場合は、選択された未登録アイコンを規定機能アイコンとして登録することを決定すると共に、当該規定機能アイコンに対応付ける機能として選択機能を登録する。
【００９７】
ショートカットアイコンとしての登録が選択された場合は、さらに、選択機能を具体的にどのような実行条件で実行させるかをユーザに設定させるための設定画面を表示させる。ユーザは、この設定画面を介して、選択機能の具体的な実行条件、即ち選択機能を実行させるために必要な各種設定項目の設定値を任意に設定することができる。そして、ユーザにより設定完了を示す操作が行われると、選択された未登録アイコンをショートカットアイコンとして登録することを決定すると共に、当該ショートカットアイコンに対応付ける機能として、設定された特定の実行条件で選択機能が実行されるように構成されたショートカット機能が登録される。
【００９８】
Ｓ２６０では、Ｓ２１０と同様、選択領域が共通領域４１又は個別領域４２のどちらであるか判断する。選択領域が共通領域４１である場合は、Ｓ２７０に進む。Ｓ２７０では、選択された未登録アイコンを、上記登録された機能が対応付けられた機能実行用アイコン、即ち登録された機能を実行させるための特定の処理が対応付けられた機能実行用アイコンとして、新規登録する。つまり、現在表示されているタブ画面において、選択された未登録アイコンを、新規登録された機能の機能実行用アイコンとして登録し、その機能実行用アイコンを配置する。
【００９９】
さらに、現在表示されているタブ画面以外の他の各タブ画面における、共通領域４１内の同じ位置に対しても、同様に、同じ機能実行用アイコンを登録し、その機能実行用アイコンを配置する。これにより、全てのタブ画面における同じ位置に、同じ機能実行用アイコンが新規登録されて配置される。Ｓ２７０の新規登録後は、Ｓ１１０に戻る。
【０１００】
Ｓ２６０で、選択領域が個別領域４２である場合は、Ｓ２８０に進む。Ｓ２８０では、選択された未登録アイコンを、上記登録された機能が対応付けられた機能実行用アイコン、即ち登録された機能を実行させるための特定の処理が対応付けられた機能実行用アイコンとして、新規登録する。つまり、現在表示されているタブ画面において、選択された未登録アイコンを、新規登録された機能の機能実行用アイコンとして登録し、その機能実行用アイコンを配置する。なお、Ｓ２８０では、Ｓ２７０とは異なり、機能実行用アイコンの新規登録は、現在表示されているタブ画面に対してのみである。Ｓ２８０の新規登録後は、Ｓ１１０に戻る。
【０１０１】
次に、Ｓ１５０（図６）において、タップされたアイコンが規定機能アイコンである場合の処理について説明する。Ｓ１５０で、タップされたアイコンが規定機能アイコンである場合は、Ｓ３１０（図８）に進む。
【０１０２】
Ｓ３１０では、図１０に例示する実行条件選択画面１００を表示させる。実行条件選択画面１００は、タップされた規定機能アイコンに対応した規定機能を実行させる際の実行条件をユーザに選択させるための画面である。実行条件選択画面１００には、対応する規定機能の実行に用いられる各種設定項目毎の項目ボタン１０１，１０２，１０３，１０４・・・が表示される。各項目ボタンには、対応する設定項目における現在選択されている設定値が表示される。ユーザは、項目ボタンを任意に選択して、その選択した項目ボタンに対応した設定項目の設定値を選択することができる。
【０１０３】
図１０に示す実行条件選択画面１００は、一例として、ファクスアイコンがタップされた場合に表示される実行条件選択画面１００を示している。この実行条件選択画面１００において、例えば、原稿濃度に対応した項目ボタン１０３をタップすることで、原稿濃度の設定値を選択することができる。なお、各設定項目の設定値は、設定変更ボタン１０６をタップすることによっても選択することができる。
【０１０４】
Ｓ３１０では、実行条件選択画面１００を表示させて、この実行条件選択画面１００に対する、ユーザによる各設定項目の設定値の選択操作を受け付ける。
Ｓ３２０では、ショートカット登録操作が行われたか否か判断する。具体的に、実行条件選択画面１００に表示されているショートカット登録ボタン１１０がタップされたか否か判断する。実行条件選択画面１００に表示されているスタートボタン１０７がタップされた場合は、Ｓ３３０に進み、選択された規定機能アイコンに対応した規定機能の処理を実行する。具体的に、実行条件選択画面１００で選択された実行条件に従って、対応する規定機能を実行する。処理実行後、Ｓ３４０で、Ｓ１７０と同様に使用頻度を更新して、Ｓ１１０に戻る。
【０１０５】
Ｓ３２０で、ショートカット登録ボタン１１０がタップされた場合は、Ｓ３５０に進む。Ｓ３５０では、登録可否設定テーブルに基づき、選択機能のショートカットアイコンを新規登録することが許可されている領域があるか否か判断する。共通領域４１及び個別領域４２のいずれに対しても選択機能のショートカットアイコンの新規が許可されていない場合は、Ｓ３６０に進む。
【０１０６】
Ｓ３６０では、エラー処理を行う。具体的に、エラー情報を表示部１３に表示させる。ここで表示させるエラー情報は、共通領域４１及び個別領域４２のいずれに対しても選択機能に対応したショートカットアイコンを配置することが許可されていないことを示す情報である。Ｓ３６０でエラー処理を実行した後は、Ｓ３２０に戻る。
【０１０７】
Ｓ３５０で、選択機能のショートカットアイコンを新規登録することが許可されている領域がある場合は、Ｓ３７０に進む。Ｓ３７０では、ショートカットアイコンを登録、配置する位置を選択するための配置位置選択操作を受け付ける。具体的に、図１０に例示する登録先選択画面１２０を表示させる。登録先選択画面１２０は、一部を除き、基本的には、待機画面２５と同様の構成である。即ち、複数のタブが表示され、且つ、選択状態にあるタブに対応したタブ画面が表示される。この登録先選択画面１２０に対し、ユーザは、配置位置選択操作を行うことができる。配置位置選択操作は、ショートカットアイコンを新規登録したい未登録アイコンをタップする操作である。
【０１０８】
ユーザにより配置位置選択操作が行われた場合、即ちいずれかの未登録アイコンがタップされた場合は、Ｓ３８０に進む。Ｓ３８０では、配置位置選択操作が行われた領域が共通領域４１及び個別領域４２のうちどちらであるか判断する。配置位置選択操作が行われた領域が共通領域４１である場合、即ち共通領域４１内の未登録アイコンがタップされた場合は、Ｓ３９０に進む。
【０１０９】
Ｓ３９０では、登録可否設定テーブルに基づき、登録対象の規定機能のショートカットアイコンを共通領域４１に新規登録することが許可されているか否か判断する。共通領域４１への新規登録が許可されている場合はＳ４２０に進み、共通領域４１への新規登録が許可されていない場合はＳ４１０に進む。
【０１１０】
Ｓ４１０では、登録不可報知を行う。具体的に、図１０に例示するような登録不可報知画面１３０を表示させる。登録不可報知画面１３０は、Ｓ３７０で選択された領域に対しては登録対象の規定機能のショートカットアイコンを新規登録することが許可されていないことをユーザに報知するための画面である。
【０１１１】
図１０は、一例として、ファクス機能のショートカットアイコンを共通領域４１内の第４アイコン５４の位置に新規登録すべく、ユーザが第４アイコン５４をタップしたところ、共通領域４１に対してはファクス機能のアイコンの新規登録が不可とされていることから、登録不可報知画面１３０が表示された例を示している。Ｓ４１０で登録不可報知を行った後は、Ｓ３７０に戻る。
【０１１２】
Ｓ３８０で、配置位置選択操作が行われた領域が個別領域４２である場合、即ち個別領域４２内の未登録アイコンがタップされた場合は、Ｓ４００に進む。Ｓ４００では、登録可否設定テーブルに基づき、登録対象の規定機能のショートカットアイコンを個別領域４２に新規登録することが許可されているか否か判断する。個別領域４２への新規登録が許可されている場合はＳ４２０に進み、個別領域４２への新規登録が許可されていない場合はＳ４１０に進む。
【０１１３】
Ｓ４２０では、ショートカットアイコンを新規登録するための登録情報を取得し、その登録情報に基づくショートカット機能を、ショートカットアイコンに対応付ける機能として登録する。具体的に、実行条件選択画面１００で選択された実行条件を取得する。そして、その取得した実行条件で規定機能が実行されるように構成されたショートカット機能を登録する。
【０１１４】
Ｓ４３０では、Ｓ２６０と同様、選択領域が共通領域４１又は個別領域４２のどちらであるか判断する。選択領域が共通領域４１である場合は、Ｓ４４０に進む。Ｓ４４０では、登録先選択画面１２０で選択された未登録アイコンを、上記登録されたショートカット機能が対応付けられたショートカットアイコン、即ち登録されたショートカット機能を実行させるための特定の処理が対応付けられたショートカットアイコンとして、新規登録する。つまり、現在表示されているタブ画面において、選択された未登録アイコンを、新規登録されたショートカット機能のショートカットアイコンとして登録し、そのショートカットアイコンを配置する。
【０１１５】
さらに、現在表示されているタブ画面以外の他の各タブ画面における、共通領域４１内の同じ位置に対しても、同様に、同じショートカットアイコンを登録し、そのショートカットアイコンを配置する。これにより、全てのタブ画面における同じ位置に、同じショートカットアイコンが新規登録されて配置される。Ｓ４４０の新規登録後は、Ｓ１１０に戻る。
【０１１６】
Ｓ４３０で、選択領域が個別領域４２である場合は、Ｓ４５０に進む。Ｓ４５０では、選択された未登録アイコンを、上記登録されたショートカット機能が対応付けられたショートカットアイコンとして、新規登録する。つまり、現在表示されているタブ画面において、選択された未登録アイコンを、新規登録されたショートカット機能のショートカットアイコンとして登録し、そのショートカットアイコンを配置する。なお、Ｓ４５０では、Ｓ４４０とは異なり、ショートカットアイコンの新規登録は、現在表示されているタブ画面に対してのみである。Ｓ４５０の新規登録後は、Ｓ１１０に戻る。
【０１１７】
（１−７）領域入替処理の説明
次に、制御部１１が実行する領域入替処理について、図１１を用いて説明する。制御部１１は、電源ボタン５の押下により電源が投入されて起動すると、図１１の領域入替処理を周期的に繰り返し実行する。
【０１１８】
制御部１１は、図１１の領域入替処理を開始すると、Ｓ６１０で、各タブ画面の個別領域４２内に配置されているアイコン毎に、使用頻度をチェックする。使用頻度は、前述の通り、Ｓ１７０及びＳ３４０で更新される情報である。
【０１１９】
Ｓ６２０では、各タブ画面の個別領域４２内に配置されているアイコンの中に、高使用頻度アイコンがあるか否か判断する。高使用頻度とは、使用頻度が高いことを示し、具体的には、本実施形態では使用頻度が特定の閾値以上であることである。個別領域４２内に高使用頻度アイコンがない場合は、領域入替処理を終了する。個別領域４２内に高使用頻度アイコンがある場合は、Ｓ６３０に進む。
【０１２０】
Ｓ６３０では、共通領域４１内に空きがあるか否か判断する。空きがあるとは、未登録アイコンがあることを意味する。Ｓ６３０で、共通領域４１内に空きがない場合は、領域入替処理を終了する。Ｓ６３０で、空きがある場合は、Ｓ６４０に進む。
【０１２１】
Ｓ６４０では、登録可否設定テーブルに基づき、高使用頻度アイコンを共通領域４１に配置可能であるか否か判断する。共通領域４１への配置が許可されていない場合は、領域入替処理を終了する。共通領域４１への配置が許可されている場合は、Ｓ６５０に進む。
【０１２２】
Ｓ６５０では、表示部１３に、図１２に示す移動要否確認画面１４０を表示させる。移動要否確認画面１４０には、高使用頻度アイコンの名称、その高使用頻度アイコンが配置されているタブ画面のタブ名、及び共通領域４１へ移動するかどうかを問いかけるメッセージが表示される。さらに、移動要否確認画面１４０には、Ｙｅｓボタン１４１とＮｏボタン１４２とが表示される。
【０１２３】
Ｓ６６０では、ユーザによる、高使用頻度アイコンを共通領域４１へ移動させる移動指示がなされたか否か判断する。移動指示がなされなかった場合、即ち移動要否確認画面１４０においてＮｏボタン１４２がタップ操作された場合は、使用頻度情報を初期化し、領域入替処理を終了する。使用頻度情報の初期化とは、例えば、使用頻度を０に設定することを意味する。Ｓ６６０で、移動指示がなされた場合、即ち移動要否確認画面１４０においてＹｅｓボタン１４１がタップ操作された場合は、Ｓ６７０に進む。
【０１２４】
Ｓ６７０では、高使用頻度アイコンを共通領域４１へ移動させる。即ち、共通領域４１内の未登録アイコンを、移動元の高使用頻度アイコンとする。また、個別領域４２内に配置されていた元の高使用頻度アイコンは、個別領域４２から削除する。これにより、ある１つのタブ画面の個別領域４２内に配置されていた高使用頻度アイコンが、各タブ画面それぞれの共通領域４１に表示されるようになる。
【０１２５】
なお、Ｓ６２０で、高使用頻度アイコンが複数ある場合は、例えば、その複数の高使用頻度アイコン毎に個別に、Ｓ６３０以降の処理を実行するようにしてもよい。
（１−８）実施形態の効果
以上説明した実施形態によれば、以下の（１ａ）〜（１ｆ）の効果を奏する。
【０１２６】
（１ａ）本実施形態では、選択領域に対し、選択機能に対応した機能実行用アイコンを新規登録することが許可されている場合に、選択領域に機能実行用アイコンが新規登録されて配置される。しかも、選択領域が個別領域４２である場合は、現在表示されているタブ画面の個別領域４２のみに機能実行用アイコンが配置され、選択領域が共通領域４１である場合は、現在表示されているタブ画面を含む、複数のタブ画面のそれぞれの共通領域４１に対して、同じ機能実行用アイコンが配置される。
【０１２７】
そのため、ユーザは、複数のタブ画面それぞれの共通領域４１に対し、共通領域４１への新規登録が許可されている規定機能の機能実行用アイコンを、容易に登録して配置させることができる。これにより、ユーザは、目的とする機能が対応付けられたアイコンを効率的に選択でき、その機能を効率的に実行させることができる。また、共通領域４１及び個別領域４２のいずれも、許可されていない規定機能の機能実行用アイコンは配置されない。そのため、規定機能に応じて機能実行用アイコンの配置の許可、不許可を適宜設定することで、意図しない配置状態になることを抑制することが可能となる。
【０１２８】
（１ｂ）本実施形態では、一般モード時おける機能実行用アイコンの新規登録の可否が、登録可否設定テーブルに基づいて判断される。登録可否設定テーブルの内容は、画像処理装置１０本体で、或いはパソコン１５０に例示される外部機器から、管理者が任意に設定することができる。
【０１２９】
そのため、管理者は、登録可否設定テーブルの設定内容を容易且つ効率的に変更することができる。また、管理者は、登録可否設定テーブルの内容を適宜設定しておくことで、各領域４１，４２における機能実行用アイコンの配置が意図しない配置状態になることを容易に抑制することができる。
【０１３０】
（１ｃ）本実施形態では、機能実行用アイコンの新規登録を、登録させたい未登録アイコンをタップすることで容易に行うことができる。また、未登録アイコンをタップした場合、図９を用いて説明したように、タップした未登録アイコンが配置されている領域に対してアイコンの新規登録が許可されている規定機能の一覧を示す機能選択画面９０が表示される。ユーザは、この機能選択画面９０の中から、新規登録可能な規定機能を容易且つ効率的に選択できる。
【０１３１】
（１ｄ）本実施形態では、未登録アイコンがタップされた場合に、そのタップした未登録アイコンが配置されている領域に対して新規登録が許可されている規定機能が全くない場合は、機能選択画面９０は表示されず、エラー処理（Ｓ２００）が行われる。そのため、ユーザは、全ての規定機能について選択領域に対する機能実行用アイコンの新規登録が許可されていない場合、そのことを迅速に知ることができる。
【０１３２】
（１ｅ）本実施形態では、規定機能アイコンをタップした場合に表示される実行条件選択画面１００（図１０）において、ショートカット登録ボタン１１０をタップすることによっても、ショートカットアイコンを新規登録することができる。
【０１３３】
この場合においても、ユーザは、図１０に示した登録先選択画面１２０を介して、新規登録させたい位置を選択することができる。また、選択した位置に対して登録対象の規定機能の新規登録が許可されていない場合は、登録不可報知画面１３０が表示される。これにより、ユーザは、選択した位置には登録対象のショートカットアイコンを新規登録できないことを迅速に知ることができる。
【０１３４】
（１ｆ）本実施形態では、個別領域４２に配置されているアイコンの中に、使用頻度が高いアイコンがある場合は、そのアイコンを共通領域４１へ容易に移動させることができる。
【０１３５】
なお、本実施形態において、パソコン１５０は本発明の情報処理装置に相当する。第１通信部１８は本発明の通信部に相当する。図４に示す登録可否設定テーブルは本発明の許可情報に相当する。図９に示す各機能選択画面９０，９６はいずれも本発明の許可機能情報に相当する。
【０１３６】
また、Ｓ１１０は本発明の表示処理に相当する。Ｓ１８０及びＳ３７０は本発明の領域選択処理に相当する。Ｓ１５０及びＳ２４０は本発明の機能選択処理に相当する。Ｓ２５０及びＳ４２０は本発明の登録処理に相当する。Ｓ２７０，Ｓ２８０，Ｓ４４０及びＳ４５０は本発明の配置処理に相当する。Ｓ２２０，Ｓ２３０，Ｓ３９０及びＳ４００は本発明の許可情報取得処理に相当する。Ｓ３２０は本発明の登録要求処理に相当する。Ｓ２００及びＳ３６０は本発明のエラー処理に相当する。Ｓ２２０及びＳ２３０は本発明の許可表示処理に相当する。Ｓ１７０及びＳ３４０は本発明の頻度算出処理に相当する。Ｓ６７０は本発明の配置変更処理に相当する。
【０１３７】
［２．他の実施形態］
以上、本発明の実施形態について説明したが、本発明は上述の実施形態に限定されることなく、種々変形して実施することができる。
【０１３８】
（２−１）図４の登録可否設定テーブルについて、共通領域４１及び個別領域４２の双方について新規登録の可否を設定できるようにすることは必須ではない。例えば、共通領域４１及び個別領域４２のうちいずれか一方のみを対象として、新規登録の可否を設定できるように構成されていてもよい。
【０１３９】
また、領域毎に、画像処理装置１０が備える全ての規定機能を対象として新規登録の可否を設定できるようにしてもよいし、全ての規定機能のうち特定の少なくとも１つの規定機能を対象として新規登録の可否を設定できるようにしてもよい。
【０１４０】
また、領域毎に、規定機能アイコン及びショートカットアイコンのうちどちらか一方のみに対して、登録可否設定テーブルを適用して登録の可否を判断し、他方については無条件に登録可能又は登録不可としてもよい。
【０１４１】
（２−２）上記実施形態では、管理者モードにおいては制限なく機能実行用アイコンを新規登録可能であったが、管理者モードにおいても、機能実行用アイコンの新規登録を可能な規定機能を制限できるようにしてもよい。
【０１４２】
（２−３）上記実施形態では、共通領域４１に配置されるアイコンの数は４つであったが、共通領域４１に配置されるアイコンの数は４つ以外であってもよい。個別領域４２に配置されるアイコンの数についても、４つ以外であってもよい。
【０１４３】
（２−４）タブ画面全体においてどの共通領域４１及び個別領域４２をそれぞれどの位置、どの範囲に設けるかについては、適宜決めてよい。上記実施形態では、タブ画面における上半分の領域が共通領域４１、下半分の領域が個別領域４２であったが、例えば、これら両領域の位置が上記実施形態とは逆であってもよい。また例えば、上下方向ではなく左右方向に各領域４１，４２を分けるようにしてもよい。
【０１４４】
また、共通領域４１及び個別領域４２のそれぞれ、当該領域内にアイコンをどのように配置するか、また各アイコンをどのような形状にするか、などについては適宜決めてよい。
【０１４５】
（２−５）Ｎｔ個の全てのタブに対応した全てのタブ画面が共通領域４１及び個別領域４２を有していなくてもよく、Ｎｔ個のタブ画面の中に、共通領域４１を有しないタブ画面が存在していてもよい。逆に、個別領域４２を有しないタブ画面が存在していてもよい。
【０１４６】
（２−６）共通領域４１と個別領域４２を視覚的に区別できるようにする方法は適宜決めてよい。例えば、各領域４１、４２の背景の色或いは模様を区別してもよい。また例えば、各領域４１、４２に配置される各アイコンの色、模様、形状などを区別してもよい。また例えば、各領域４１、４２の境界に境界線を表示させてもよい。
【０１４７】
（２−７）タブの総数Ｎｔは、待機画面２５に同時に表示可能なタブの最大数（上記実施形態では４つ）以下であってもよい。
（２−８）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言から特定される技術思想に含まれるあらゆる態様が本発明の実施形態である。
【符号の説明】
【０１４８】
３…操作パネル、１０…画像処理装置、１１…制御部、１２…記憶部、１３…表示部、１４…入力部、１４ａ…タッチパネル、１８…第１通信部、２５…待機画面、２８…管理者ボタン、３１〜３４…タブ、４１…共通領域、４２…個別領域、５０，６０…タブ画面、５１〜５８，６１〜６８…アイコン、８０…登録可否設定画面、９０…機能選択画面、９６…機能選択画面、１００…実行条件選択画面、１１０…ショートカット登録ボタン、１２０…登録先選択画面、１３０…登録不可報知画面、１４０…移動要否確認画面、１５０…パソコン。
【図１】
2019010791.tif 000003
【図２】
2019010791.tif 000004
【図３】
2019010791.tif 000005
【図４】
2019010791.tif 000006
【図５】
2019010791.tif 000007
【図６】
2019010791.tif 000008
【図７】
2019010791.tif 000009
【図８】
2019010791.tif 000010
【図９】
2019010791.tif 000011
【図１０】
2019010791.tif 000012
【図１１】
2019010791.tif 000013
【図１２】
2019010791.tif 000014